(57)【要約】【課題】大型化したスピーカーであっても遊技者に近づけた状態で無理なく収納することができるスピーカーユニットを備えた遊技機を提供する。【解決手段】透明部材保持枠１１は、開口部２７，２８の左右両側方に保持枠スピーカー取付部３７を形成し、該保持枠スピーカー取付部３７に保持枠スピーカー２５を遊技者の正面に向けた状態で取り付け、上皿ユニット１３は、上皿４７の前方を覆って遊技者側へ突出した上皿カバー部材４８を備え、下皿ユニット１４は、下皿６９の前方を覆って遊技者側へ突出した下皿カバー部材７０を備え、上皿カバー部材４８の前面突出部６１から前記下皿カバー部材の前面突出部８４までの範囲内に、音を伝達可能な透音カバー部材６５を遊技者の正面に向けた状態で設け、該透音カバー部材６５の後方にスピーカーユニット１５を取り付けた。【選択図】    図２
2004290357.tif 000002
【特許請求の範囲】
【請求項１】
遊技盤が取り付けられた前面枠に対して開閉可能に設けられ、前記遊技盤に形成された遊技領域の前方を覆う状態で透明部材が保持される透明部材保持枠と、
該透明部材保持枠の下方に、前面枠に対して開閉可能に設けられて、遊技球を貯留可能な上皿が備えられた上皿ユニットと、
該上皿ユニットの下方に設けられ、上皿が満杯になってオーバーフローした遊技球を貯留可能な下皿が備えられた下皿ユニットと、
を備えた遊技機において、
前記透明部材保持枠は、透明部材を臨ませる開口部を開設し、前記開口部の左右両側方であって前記開口部の上下方向の中間部と略同じ高さの位置に保持枠スピーカー取付部を形成し、該保持枠スピーカー取付部に保持枠スピーカーを遊技者の正面に向けた状態で取り付け、
前記上皿ユニットは、上皿の前方を覆って遊技者側へ突出した上皿カバー部材を備え、
前記下皿ユニットは、下皿の前方を覆って遊技者側へ突出した下皿カバー部材を備え、
前記上皿カバー部材の前面突出部から前記下皿カバー部材の前面突出部までの範囲内に、音を伝達可能な透音カバー部材を遊技者の正面に向けて当該遊技機の最前部に位置する状態で設け、該透音カバー部材の後方にスピーカーユニットを取り付けたことを特徴とする遊技機。
【請求項２】
前面枠に対して開閉可能に取り付けられて、遊技球を貯留可能な上皿が備えられた上皿ユニットと、
該上皿ユニットの下方に設けられ、前記上皿が満杯になってオーバーフローした遊技球を貯留可能な下皿が備えられた下皿ユニットと、
遊技状態に応じて音を発生するスピーカーユニットと、
を備えた遊技機において、
前記上皿ユニットは、下側および後側が開口された第１空間を有し、
前記下皿ユニットは、上側が開口されて第１空間と上下に連通し得る第２空間を有し、
前記第１空間内にスピーカーユニットの上部を、第２空間内に前記スピーカーユニットの下部をそれぞれ収納可能とし、
上皿ユニットを開放すると、第１空間が第２空間の上方から外れて、スピーカーユニットが上下方向に移動可能な第１状態に変換し、
上皿ユニットを閉成すると、第１空間が第２空間の上方に連通されて、スピーカーユニットが上下方向の移動を規制される第２状態に変換することを特徴とする遊技機。
【請求項３】
前記上皿ユニットは、音を伝達可能な透音カバー部材を前面に備えて、該透音カバー部材の上半部を第１空間の前方に配設し、下半部を第２空間の前方に配設可能とし、
前記下皿ユニットは、スピーカーユニットを着脱可能な状態で係止する係止部を備え、
前記第１状態において、透音カバー部材の下半部が第２空間の前方から外れて、下皿ユニットに係止されたスピーカーユニットの前方を開放し、
前記第２状態において、透音カバー部材の下半部が第２空間の前方を覆ってスピーカーユニットの前方を覆うことを特徴とする請求項２に記載の遊技機。
【請求項４】
前記上皿ユニットは、第１空間を上皿の下方に形成し、
前記下皿ユニットは、下皿を前記上皿の斜め下方に配設し、第２空間を下皿の側方であって、前記上皿の下方に形成したことを特徴とする請求項２または請求項３に記載の遊技機。
【請求項５】
前記上皿ユニットは、第１空間の下側開口周縁に下向きの空間周縁下面部を形成し、
前記下皿ユニットは、第２空間の上側開口周縁に上向きの空間周縁上面部を形成し、
前記第２状態において、空間周縁下面部と空間周縁上面部とが近接した状態で対向することを特徴とする請求項２から請求項４のいずれかに記載の遊技機。
【請求項６】
前記スピーカーユニットは、スピーカーと、前面に透音開口を、後面に収納口をそれぞれ開設して、内部にスピーカーを収納するスピーカー収納ボックスと、収納口を閉成する蓋部材とから構成され、
前記蓋部材は、スピーカーの後部を支持するとともにスピーカー収納ボックスの内面に当接可能な支持部材を、スピーカー収納ボックスの内部に向けて突設したことを特徴とする請求項１から請求項５のいずれかに記載の遊技機。
【発明の詳細な説明】
【０００１】
【発明の属する技術分野】
本発明は、遊技球を貯留可能な球貯留皿ユニットにスピーカーユニットを備えたパチンコ遊技機等の遊技機に関する。
【０００２】
【従来の技術】
従来の遊技機、例えばパチンコ遊技機は、球貯留皿ユニット（上皿ユニット、下皿ユニット）の後部内側、あるいは球貯留皿ユニットの後方の前面枠にスピーカーを備え、遊技の進行に伴って効果音を出力できるように構成されている。そして、このスピーカーの取付作業やメンテナンス作業の効率を向上させるために、上皿ユニットのスピーカー収納室内にスピーカーの位置を規制する係止部を設けたり、あるいはスピーカーをスピーカー収納ボックスに収納してから前面枠に取り付けるようにしたりして、スピーカーの着脱が容易な取付構造を備えたパチンコ遊技機が提案されている（例えば、特許文献１および特許文献２参照。）。
【０００３】
【特許文献１】
特開平１０−５７５７２号公報（第２頁，第２図）
【特許文献２】
特開平１１−１０４２９６号公報（第２頁，第１３図）
【０００４】
【発明が解決しようとする課題】
ところが、上記のようなスピーカーの取付構造では、スピーカーを上皿ユニットの後寄りにしか取り付けることができず、また、上皿ユニットの内部や前面枠の前面側等の狭いスペースに取り付けられる程度の小さなスピーカーを採用せざるを得なかった。そのため、遊技中の効果音を一層迫力のあるものにしようとしても、上皿ユニットや下皿ユニットの前寄りにスピーカーを配設することも、また、従来よりも大型のスピーカーを取り付けることも困難であった。そして、無理に取り付けようとすると、パチンコ遊技機の球貯留皿ユニット周りのデザインを崩してしまったり、スピーカーが着脱し難い取付構造になって組立作業やメンテナンス作業の効率を低下させたりする虞があった。
【０００５】
そこで、本発明は、上記の事情に鑑みてなされたものであり、その目的は、大型化したスピーカーであっても遊技者に近づけた状態で無理なく収納することができるスピーカーユニットを備えた遊技機を提供しようとするものである。
【０００６】
【課題を解決するための手段】
本発明は、上記目的を達成するために提案されたものであり、請求項１に記載のものは、遊技盤が取り付けられた前面枠に対して開閉可能に設けられ、前記遊技盤に形成された遊技領域の前方を覆う状態で透明部材が保持される透明部材保持枠と、
該透明部材保持枠の下方に、前面枠に対して開閉可能に設けられて、遊技球を貯留可能な上皿が備えられた上皿ユニットと、
該上皿ユニットの下方に設けられ、上皿が満杯になってオーバーフローした遊技球を貯留可能な下皿が備えられた下皿ユニットと、
を備えた遊技機において、
前記透明部材保持枠は、透明部材を臨ませる開口部を開設し、前記開口部の左右両側方であって前記開口部の上下方向の中間部と略同じ高さの位置に保持枠スピーカー取付部を形成し、該保持枠スピーカー取付部に保持枠スピーカーを遊技者の正面に向けた状態で取り付け、
前記上皿ユニットは、上皿の前方を覆って遊技者側へ突出した上皿カバー部材を備え、
前記下皿ユニットは、下皿の前方を覆って遊技者側へ突出した下皿カバー部材を備え、
前記上皿カバー部材の前面突出部から前記下皿カバー部材の前面突出部までの範囲内に、音を伝達可能な透音カバー部材を遊技者の正面に向けて当該遊技機の最前部に位置する状態で設け、該透音カバー部材の後方にスピーカーユニットを取り付けたことを特徴とする遊技機である。
【０００７】
請求項２に記載のものは、前面枠に対して開閉可能に取り付けられて、遊技球を貯留可能な上皿が備えられた上皿ユニットと、
該上皿ユニットの下方に設けられ、前記上皿が満杯になってオーバーフローした遊技球を貯留可能な下皿が備えられた下皿ユニットと、
遊技状態に応じて音を発生するスピーカーユニットと、
を備えた遊技機において、
前記上皿ユニットは、下側および後側が開口された第１空間を有し、
前記下皿ユニットは、上側が開口されて第１空間と上下に連通し得る第２空間を有し、
前記第１空間内にスピーカーユニットの上部を、第２空間内に前記スピーカーユニットの下部をそれぞれ収納可能とし、
上皿ユニットを開放すると、第１空間が第２空間の上方から外れて、スピーカーユニットが上下方向に移動可能な第１状態に変換し、
上皿ユニットを閉成すると、第１空間が第２空間の上方に連通されて、スピーカーユニットが上下方向の移動を規制される第２状態に変換することを特徴とする遊技機である。
【０００８】
請求項３に記載のものは、前記上皿ユニットは、音を伝達可能な透音カバー部材を前面に備えて、該透音カバー部材の上半部を第１空間の前方に配設し、下半部を第２空間の前方に配設可能とし、
前記下皿ユニットは、スピーカーユニットを着脱可能な状態で係止する係止部を備え、
前記第１状態において、透音カバー部材の下半部が第２空間の前方から外れて、下皿ユニットに係止されたスピーカーユニットの前方を開放し、
前記第２状態において、透音カバー部材の下半部が第２空間の前方を覆ってスピーカーユニットの前方を覆うことを特徴とする請求項２に記載の遊技機である。
【０００９】
請求項４に記載のものは、前記上皿ユニットは、第１空間を上皿の下方に形成し、
前記下皿ユニットは、下皿を前記上皿の斜め下方に配設し、第２空間を下皿の側方であって、前記上皿の下方に形成したことを特徴とする請求項２または請求項３に記載の遊技機である。
【００１０】
請求項５に記載のものは、前記上皿ユニットは、第１空間の下側開口周縁に下向きの空間周縁下面部を形成し、
前記下皿ユニットは、第２空間の上側開口周縁に上向きの空間周縁上面部を形成し、
前記第２状態において、空間周縁下面部と空間周縁上面部とが近接した状態で対向することを特徴とする請求項２から請求項４のいずれかに記載の遊技機である。
【００１１】
請求項６に記載のものは、前記スピーカーユニットは、スピーカーと、前面に透音開口を、後面に収納口をそれぞれ開設して、内部にスピーカーを収納するスピーカー収納ボックスと、収納口を閉成する蓋部材とから構成され、
前記蓋部材は、スピーカーの後部を支持するとともにスピーカー収納ボックスの内面に当接可能な支持部材を、スピーカー収納ボックスの内部に向けて突設したことを特徴とする請求項１から請求項５のいずれかに記載の遊技機である。
【００１２】
【発明の実施の形態】
以下、代表的な遊技機であるパチンコ遊技機を例に挙げて本発明の実施の形態を図面に基づき説明する。図１はパチンコ遊技機１の正面図である。
【００１３】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の裏側に設けられた遊技盤収納フレーム内に遊技盤５を収納可能とし、遊技盤５の表面には、表示装置６、大入賞口７、一般入賞口８、アウト口９…などを配設した遊技領域１０を形成している。また、前面枠３の前面には、一側（図中左側）が軸着された透明部材保持枠（ガラス枠）１１を、ヒンジ部１１ａを介して回動可能に設け、該透明部材保持枠１１に透視可能な透明部材（ガラス板）１２を収納して、遊技領域１０を前方から透視可能な状態で覆い、透明部材保持枠１１の下方に上皿ユニット１３と下皿ユニット１４とを上下に並べて備えている。そして、このパチンコ遊技機１は、上皿ユニット１３および下皿ユニット１４の間に、遊技状態に応じて音を発生するスピーカーユニット１５を収納し、下皿ユニット１４の後方であって前面枠本体４の下部に、遊技球を遊技領域１０に向かって発射するための発射装置１７を備え、該発射装置１７の左側にファール球（戻り球）を回収するためのファール流下口１８を備えている（図２参照）。なお、上皿ユニット１３、下皿ユニット１４およびスピーカーユニット１５については、後で詳しく説明する。
【００１４】
透明部材保持枠１１は、図２および図３に示すように、前面枠３の前面を装飾する装飾枠２１と、該装飾枠２１を前面に取り付けて前面枠本体４に軸着される枠状の保持枠フレーム２２と、該保持枠フレーム２２の裏側に取り付けられて、透明部材１２を上方から収納する透明部材収納フレーム（ガラス収納フレーム）２３と、該透明部材収納フレーム２３に収納した透明部材１２が上方向へ移動することを規制する透明部材ストッパー（ガラスストッパー）２４と、透明部材１２の左右両側方に取り付けられた保持枠スピーカー２５とから概略構成されている。
【００１５】
装飾枠２１および保持枠フレーム２２は、遊技領域１０の前方に透明部材１２を臨ませる大きな略円状の開口部２７，２８をそれぞれ開設しており、この開口部２７，２８の下方に球貸操作ユニット２９を備え、上方には、ランプ等を備えた装飾表示基板３１、装飾レンズ３２、エラー表示基板３３、エラー表示レンズ３４、および透明部材保持枠開閉スイッチ３５等を備えている。また、保持枠フレーム２２は、開口部２８の左右両外側であって開口部２８の上下方向の中間位置と略同じ高さの位置に、保持枠スピーカー２５を取り付けるための保持枠スピーカー取付部３７を凹状に形成し、この保持枠スピーカー取付部３７に保持枠スピーカー２５を透明部材１２の前方、すなわちパチンコ遊技機１の前方に着席する遊技者（頭部を透明部材１２の前方に、腹部をスピーカーユニット１５の前方に対向させて着席する遊技者）の正面に向けて、詳しくは、透明部材保持枠１１の内側へ傾けて、透明部材１２の中心部の前方に向く状態で、遊技者の耳と略同じ高さに位置する状態で取り付けている（図４参照）。なお、本実施形態において、保持枠スピーカー２５は、ステレオスピーカーであり、大当たり時や確率変動時などの主な効果音を発生させるためのメインスピーカーとして機能するが、遊技者の正面に対向する状態で配設できれば、どのようなものでもよい。
【００１６】
また、保持枠スピーカー取付部３７は、奧側の内面を保持枠フレーム２２の開口部２８へ向かって僅かに後方傾斜させて、保持枠スピーカー２５の前端部と略平行な取付ガイド面４０を形成している。したがって、この取付ガイド面４０に保持枠スピーカー２５の後部（駆動部）を一旦突き当てて取付角度を決定することができ、そのまま僅かに手前へ離間させてから保持枠スピーカー２５を固定することで、保持枠スピーカー２５の取付作業を迅速に行うことができる。
【００１７】
そして、装飾枠２１は、保持枠スピーカー取付部３７と対向する箇所に、略三日月形の放音開口が開設されたカバー取付部材４２を備え、このカバー取付部材４２に保持枠スピーカーカバー（透音カバー部材）４３を、放音開口を覆う状態で取り付けている。この保持枠スピーカーカバー４３は、保持枠スピーカー２５を保護するとともに、保持枠スピーカー２５からの音をパチンコ遊技機１の前方へ伝達可能な部品であり、例えば、小さな貫通孔を多数開設した薄肉の金属板により形成されている。
【００１８】
次に、上皿ユニット１３について説明する。
上皿ユニット１３は、図２および図５に示すように、前面枠３に開閉可能に軸着される開閉パネル４６と、該開閉パネル４６の前面に設けられる上皿４７と、該上皿４７の前方および下方を覆う上皿カバー部材４８とから概略構成されている。
【００１９】
開閉パネル４６は、上皿ユニット１３のベースとなる部材であり、一側（図中左側）をヒンジ部５０により前面枠本体４へ軸着している。この開閉パネル４６は、軸着側寄り（一側寄り、図中左寄り）に球排出装置（図示せず）から排出された遊技球が出てくるための球出口５１を開設し、該球出口５１から後方に前面枠本体４の遊技球通路５２（図２参照）と連通可能な接続樋５３を延設している。また、この開閉パネル４６は、上皿ユニット１３の開放側寄り（他側寄り、図中右寄り）に切欠部５５ａを形成し、上皿４７に貯留された遊技球を発射装置１７へ供給するための球供給口５５を切欠部５５ａに連通する状態で備えている。さらに、開閉パネル４６は、図６に示すように、該球供給口５５の後方に開閉扉５６を備えて、上皿ユニット１３を閉じた状態で球供給口５５を開放し、上皿ユニット１３を開いた状態で球供給口５５を閉成するように構成されている。なお、この球供給口５５は、下側に球抜き口５５ｂを開設している。この球抜き口５５ｂは、上皿ユニット１３を閉じた状態で、後述の球抜き流路７５に連通するように構成されている。
【００２０】
そして、開閉パネル４６は、下端中央周辺に下向きコ字状のパネル切欠部４６ａを開設している。このパネル切欠部４６ａは、上皿ユニット１３の開閉時にスピーカーユニット１５の上部が接触しない程度の空部を設けて形成されている。
【００２１】
さらに、開閉パネル４６は、透明部材保持枠１１の下縁に合わせた形状となるように上縁を形成し、該上縁から不正防止壁５８を保持枠フレーム２２の下縁よりも上方へ延設して、開閉パネル４６と保持枠フレーム２２との間隙から針金等の不正部材が侵入するのを防止している。
【００２２】
上皿４７は、発射装置１７へ供給する遊技球を一時貯留するための部材であり、開閉パネル４６から前方へ延設された上皿部材４７′により当該上皿４７の前部、両側部および下部を、開閉パネル４６により当該上皿４７の後部をそれぞれ形成し、上皿部材４７′と開閉パネル４６とで区画されて上方に開放した状態で構成されている。そして、この上皿４７は、開閉パネル４６の球出口５１および球供給口５５に連通し、球出口５１から下り傾斜した底面４７ａを備えて、貯留された遊技球が球供給口５５へ流下できるように構成されている。また、この上皿４７は、開閉パネル４６の球供給口５５の前方に球抜き装置５９を備えて、上皿ユニット１３を閉じた状態で球抜きレバー５９ａが操作されると発射装置１７の手前で遊技球が上皿４７から下皿ユニット１４へ流下できるように構成されている。
【００２３】
上皿カバー部材４８は、上皿４７の前方および下方を覆う中空の部材であり、開閉パネル４６の前面から遊技者側へ突出（膨出）した形状で設けられている。この上皿カバー部材４８は、内部の中空空間であって上皿４７の下方に断面倒コ字状の第１区画壁部６０を、下方が開放した状態で設けている（図５および図６参照）。この第１区画壁部６０は、上皿カバー部材４８の前面突出部６１の裏側から開閉パネル４６のパネル切欠部４６ａに亘って配設されており、内側には、下側および後側が開口された第１空間６２を区画形成している。この第１空間６２は、後述のスピーカーユニット１５の上部が十分に収納できる程度の広さを有しており、具体的には、上皿ユニット１３の開閉時にスピーカーユニット１５が第１区画壁部６０に接触せずに通過できる程度の広さを備えている。なお、このスピーカーユニット１５の収納手順については、後で詳しく説明する。
【００２４】
また、上皿カバー部材４８は、第１空間６２の下側開口の周縁から前面突出部６１の下縁および開閉パネル４６の下縁に沿って下向きの空間周縁下面部６４を形成し、上皿４７の下側部分のうち、第１区画壁部６０よりも左右外側に位置する箇所を覆って保護している。
【００２５】
さらに、空間周縁下面部６４は、第１空間６２の下側開口の内側に向かって第１リブ６４ａを、スピーカーユニット１５が当接しない程度に延設し、この第１リブ６４ａの内側端から上方に向かって第２リブ６４ｂを立設している。このように第１リブ６４ａと第２リブ６４ｂとを断面Ｌ字状に形成して、上皿カバー部材４８は、空間周縁下面部６４の内側端部を補強することができる。また、上皿カバー部材４８は、この空間周縁下面部６４の内側端部をスピーカーユニット１５に近接させることができ、例えば搬送中に万一スピーカーユニット１５が上皿ユニット１３および下皿ユニット１４の内部で動いても、直ちに第１リブ６４ａおよび第２リブ６４ｂに当接させることでスピーカーユニット１５が大きく揺れることを防ぎ、搬送中の損傷を抑えることができる。なお、第１リブ６４ａおよび第２リブ６４ｂの後方には、切欠部６４ｃが形成されており、スピーカーユニット１５から突出した係止受部１０５（後述）が当接しないように構成されている。
【００２６】
そして、上皿ユニット１３は、第１空間６２の前方に円形状の透音カバー部材６５を、下半部が上皿カバー部材４８の下縁から下皿ユニット１４の前面に向かって延設された状態で備えている。この透音カバー部材６５は、上皿ユニット１３を閉じた状態でパチンコ遊技機１の最前部に位置する部材であり、上半部が上皿カバー部材４８に一体成型によって設けられた円環状のカバーフレーム６５ａと、該カバーフレーム６５ａ内の円形開口を塞ぐ透音板（例えば、細孔を多数開設した薄肉の金属板）６５ｂとにより構成されている。そして、上皿ユニット１３を閉成すると、この透音カバー部材６５は、遊技者の正面に向けた状態で配設されて、スピーカーユニット１５からの効果音を遊技者側に伝達できるように構成されている。なお、透音カバー部材６５は、上半部と下半部との境界の後側に補強リブ６５ｃを備えている。この補強リブ６５ｃは、上皿カバー部材４８の前面突出部６１や透音板６５ｂの補強部材であり、取付作業中の作業員の手や遊技中の遊技者の手等が当たったりしても前面突出部６１や透音板６５ｂが損傷し難いように構成されている。
【００２７】
次に、下皿ユニット１４について説明する。
下皿ユニット１４は、図７および図８に示すように、前面枠本体４の下部に取り付けられる取付ベース６８と、該取付ベース６８の前面に設けられる下皿６９と、該下皿６９の前面、側面および下面を覆う下皿カバー部材７０とから概略構成されている。そして、この下皿ユニット１４は、下皿６９の左側（上皿ユニット１３の軸着側）に灰皿７１を、右側（上皿ユニット１３の開放側）に発射装置１７を操作するための発射操作ユニット（発射操作ハンドル）７２をそれぞれ備えている。
【００２８】
取付ベース６８は、下皿ユニット１４のベースとなる部材であり、上皿４７の下方であって発射操作ユニット７２寄り（図中右寄り）の位置に、遊技球が下皿６９に流入するための下皿球出口７４を開設し、該下皿球出口７４に上皿ユニット１３の球出口５１よりも上流側の遊技球流路（図示せず）と球抜き装置５９に連通可能な球抜き流路７５とを連通させている。
【００２９】
また、この取付ベース６８は、上縁６８ａを開閉パネル４６の下縁に合わせた形状に形成し、この上縁６８ａの途中から開閉パネル４６のパネル切欠部４６ａを閉塞可能な突出部７７を上方に向けて突設し、上皿ユニット１３の開放端（図中右端）よりも外側には、透明部材保持枠１１の開放側（図中右側）の下端まで延出された延出部７８を備えている。そして、この取付ベース６８は、上縁６８ａ、突出部７７、および延出部７８の裏側から不正防止壁７９を開閉パネル４６の下縁あるいは保持枠フレーム２２の開放端側（図中右側）の下縁よりも上方に達する状態で延設して、下皿ユニット１４と上皿ユニット１３との間、および下皿ユニット１４と透明部材保持枠１１との間から針金等の不正部材が侵入するのを防止している。さらに、取付ベース６８は、下端部のうち突出部７７の下方に位置する箇所に、下皿カバー部材７０との連結ロッド８０を前方へ延設している。
【００３０】
下皿６９は、上皿４７が満杯になってオーバーフローした遊技球や、球抜き装置５９により上皿４７から流下してきた遊技球を貯留可能な部材であり、取付ベース６８から前方へ延設された下皿部材６９′により当該下皿６９の前部、両側部および下部を、取付ベース６８により当該下皿６９の後部をそれぞれ形成し、下皿部材６９′と取付ベース６８とで区画されて上方に開放した状態で構成されている。そして、下皿６９は、突出部７７と延出部８８との間の下方であって上皿４７の右斜め下方（発射操作ユニット７２寄りの下方）の位置に、下皿球出口７４を臨ませた状態で設けられている。なお、この下皿６９は、底部に開閉可能な取出口８１を備えており、取出しレバー８２を操作することによって開閉プレート８３の貫通孔と取出口８１とを連通させて、下皿６９から遊技球を下方に落下できるように構成されている。
【００３１】
下皿カバー部材７０は、取付ベース６８の前面から遊技者側へ突出（膨出）した形状を備えており、前面突出部８４を上皿カバー部材４８の前面突出部６１と略同じ位置まで突出させるとともに、上縁を上皿カバー部材４８の下縁に近接させ、さらに、取付ベース６８の延出部７８と重なる箇所の前面を上皿カバー部材４８の開放端（図中右端）と連続するような曲面により形成して、上皿ユニット１３と下皿ユニット１４とが一体化しているかのようなデザインを有している。また、この下皿カバー部材７０は、下皿６９と灰皿７１との間に、上皿カバー部材４８の第１区画壁部６０の左右各側の下端と対向するようにして、底部から第２区画壁部８６を２枚立設し、この第２区画壁部８６の間に上側が開放された第２空間８７を区画形成している。この第２空間８７は、上皿ユニット１３の閉成状態で上皿４７の下方に形成され、第１空間６２と上下に連通することができる空間である。このようにして、下皿ユニット１４は、スピーカーユニット１５の下部を収納可能な広さの第２空間８７を下皿６９の側方であり、灰皿７１との間に形成している。
【００３２】
なお、この下皿カバー部材７０は、第２空間８７の下部にスピーカーユニット載置部８７ａを備えている。このスピーカーユニット載置部８７ａは、スピーカーユニット１５の高さ位置を決める位置決め部材であり、前面突出部８４の裏側から後方へ延出された中空の角状部材により形成されている。また、このスピーカーユニット載置部８７ａは、内側に取付ベース６８の連結ロッド８０を嵌合することができ、下皿カバー部材７０と取付ベース６８との組立作業がスムーズに行えるように構成されている。
【００３３】
そして、この下皿カバー部材７０は、第２空間８７の前方に位置する前面突出部８４の一部に、透音カバー部材６５の下半部に合わせて半円弧状の前面切欠部８８を開設している。この前面切欠部８８は、上皿ユニット１３を閉成した状態で透音カバー部材６５の下半部を嵌合できるように構成されている。さらに、前面切欠部８８の円弧端からは、内側に向かって円弧状のリブ８９が延設されている。このリブ８９は、上皿ユニット１３が閉じた状態で透音カバー部材６５の下半部が当接すると、前面切欠部８８と透音カバー部材６５のとの隙間を塞ぐことができ、この隙間からの不正部材の侵入を防ぐことができる。また、このリブ８９は、透音カバー部材６５を後方から支持する支持部材としての機能も担っており、例えば透音カバー部材６５が叩かれても破損し難いように構成されている。
【００３４】
さらに、下皿カバー部材７０は、第２空間８７の上側開口の周縁に上向きの空間周縁上面部９１を、前面突出部８４の上端および第２区画壁部８６の上端に沿って形成している。この空間周縁上面部９１は、上皿ユニット１３の空間周縁下面部６４と略平行な状態で設けられている。したがって、この空間周縁上面部９１は、上皿ユニット１３を開閉しても空間周縁下面部６４に接触することがない。このため、上皿ユニット１３をスムーズに開閉することができる。
【００３５】
なお、下皿ユニット１４は、取付ベース６８のうち、第２空間８７の後方に位置する部分にスピーカーユニット１５の後部を臨ませ得る円状のベース開口９２を開設し、スピーカーユニット１５からの配線１５ａがこのベース開口９２を通じて前面枠３側のコネクタに接続できるようにしている（図９参照）。また、下皿ユニット１４は、突出部７７の左右両側にスピーカーユニット１５を係止するための係止部９３を備え、取付ベース６８と第２区画壁部８６との間にスピーカーユニット１５の一部を差し入れるためのガイド溝９４を上下方向に形成している。
【００３６】
次に、スピーカーユニット１５について説明する。
スピーカーユニット１５は、図１０に示すように、遊技中の効果音を出力するスピーカー９６と、内部にスピーカー９６を収納するスピーカー収納ボックス９７と、該スピーカー収納ボックス９７を閉成する蓋部材９８とから構成されている。なお、本実施形態のスピーカー９６は、低音出力用のスピーカーであり、遊技に伴って迫力のあるリズム感を演出するためのものである。また、スピーカー９６を左右の保持枠スピーカー２５と同様のメインスピーカーとして機能させ、各スピーカー９６，２５の出力バランスを調整して、効果音がパチンコ遊技機１の前方で動き回るように演出してもよい。
【００３７】
スピーカー収納ボックス９７は、中空の箱状部材であり、上部を第１空間６２に、また、下部を第２空間８７に収納可能な程度の大きさで形成されている。このスピーカー収納ボックス９７は、前面にスリット状の放音開口１００を複数開設し、該放音開口１００の外側にスピーカー９６のコーン部９６ａ周辺のフランジ部９６ｂを止着するために止着孔１０１を開設して、コーン部９６ａを放音開口１００に臨ませた状態でスピーカー９６がビス等の止着部材（図示せず）で取り付けられるように構成されている。また、このスピーカー収納ボックス９７は、後面を矩形状に開放してスピーカー９６を収納するための収納口１０３を開設し、該収納口１０３の外側には、蓋部材９８を止着する止着部１０４と、下皿ユニット１４の係止部９３に係止するための係止受部１０５とを突設している。
【００３８】
蓋部材９８は、収納口１０３を閉成する部材であり、左右両端にスピーカー収納ボックス９７の止着部１０４に止着される止着片１０７を備えている。そして、蓋部材９８は、内側面の上下両側からスピーカー９６を支持する支持部材１０９をスピーカー収納ボックス９７の内部に向けて突設している。この支持部材１０９は、スピーカー９６の後部（駆動部）を挟むように支持して、コーン部９６ａを前方に向けた状態でスピーカー９６の位置を安定させることができる。また、この支持部材１０９は、外側部をスピーカー収納ボックス９７の内面に当接させることで、スピーカー収納ボックス９７に対する蓋部材９８の位置決め部材の機能も担っている。したがって、支持部材１０９の外側部をスピーカー収納ボックス９７の内面に当接させながら収納口１０３を閉成することで、この蓋部材９８およびスピーカー９６のスピーカー収納ボックス９７に対する位置決めを迅速に行うことができ、組立作業の効率を向上させることができる。なお、蓋部材９８は、本実施形態に限らず、支持部材１０９とは別の部材として、蓋部材９８の内面から蓋部材９８の位置決めガイド（図示せず）を突設してもよい。
【００３９】
そして、この蓋部材９８は、複数のスリット状の蓋開口部１１０を取付ベース６８のベース開口９２に対向し得る状態で開設している。この蓋開口部１１０は、スピーカー９６からの配線１５ａを前面枠３まで延設するための配線処理孔としての機能を備えるとともに、スピーカー９６からの発生音を後方にも伝達し易くするための放音口としての機能も備えている。すなわち、このような放音口を設けることで、スピーカー９６のコーン部９６ａの後ろ側から発生する音を、ベース開口９２を通して前面枠３まで響かせることができる。したがって、スピーカーユニット１５から直接伝わってくる出力だけでなく、前面枠３からの反響音も遊技に伴う効果音として利用することができ、より迫力のある演出を図ることができる。
【００４０】
上記のような上皿ユニット１３および下皿ユニット１４を備えたパチンコ遊技機１は、上皿ユニット１３を開閉することで状態を変換させることができる。すなわち、このパチンコ遊技機１は、図１２に示すように、上皿ユニット１３を前面枠３に対して開放すると、第１空間６２が第２空間８７の上方から前方に外れた第１状態に変換することができる。この第１状態においては、第２空間８７の上方が開放されてスピーカーユニット１５が上下方向に移動可能となる。また、透音カバー部材６５の下半部は、下皿ユニット１４の前面切欠部８８から離脱して第２空間８７の前方から外れた状態となる。そして、上皿ユニット１３の空間周縁下面部６４は、下皿ユニット１４の空間周縁上面部９１の上方から外れる。
【００４１】
一方、上皿ユニット１３を前面枠３に対して閉成すると、このパチンコ遊技機１は、第１空間６２が第２空間８７の上方に連通された第２状態に変換することができる。この第２状態においては、第２空間８７の上方が上皿ユニット１３に覆われて、スピーカーユニット１５が上下方向に移動するのを規制される。また、透音カバー部材６５は、下半部を前面切欠部８８に嵌合して第２空間８７の前方を覆う状態で配設可能であり、上皿カバー部材４８の前面突出部６１から下皿カバー部材７０の前面突出部８４までの範囲内に設けられる状態となる。
【００４２】
そして、上皿ユニット１３の空間周縁下面部６４は、下皿ユニット１４の空間周縁上面部９１の上方に配設され、空間周縁上面部９１に近接した状態で対向する（図１１参照）。したがって、第１空間６２と第２空間８７との間からスピーカーユニット１５が見えるのを防ぐことができる。このことから、外部からのいたずらにより、スピーカーユニット１５が損傷してしまうのを防ぐことができるし、上皿ユニット１３から下皿ユニット１４に亘る連続的なデザインを損なうことなく、大型のスピーカーユニット１５を収納することができる。
【００４３】
このようなパチンコ遊技機１にスピーカーユニット１５を取り付けるには、まず、上皿ユニット１３を開放して第１状態に変換し、第２空間８７の前方および上方を開放する（図１２（ａ））。そして、放音開口１００を前方に向けた状態でスピーカーユニット１５を第２空間８７に近づけ、スピーカー収納ボックス９７の止着部１０４および蓋部材９８の止着片１０７を下皿ユニット１４のガイド溝９４に差し入れながら、下皿ユニット１４の上方からスピーカーユニット１５を第２空間８７へ移動して、スピーカーユニット１５の下部を第２空間８７内に収納する（図１２（ｂ））。
【００４４】
スピーカーユニット１５の下部を第２空間８７内に収納したならば、スピーカーユニット１５の係止受部１０５と下皿ユニット１４の係止部９３とをビス等の止着部材で止着することで、スピーカーユニット１５を下皿ユニット１４に係止する。また、電気配線１５ａを前面枠３側のコネクタ３ａに接続する。そして、上皿ユニット１３を閉成して第２状態に変換する。すると、スピーカーユニット１５が前方を透音カバー部材６５の上半部および下半部により覆われるとともに、スピーカーユニット１５の上部が前方から第１空間６２に覆われる（図１２（ｃ），図９）。このようにして、遊技者の正面に向いた状態の透音カバー部材６５の後方へスピーカーユニット１５を簡単に取り付けることができる。また、上皿ユニット１３および下皿ユニット１４の前側に透音カバー部材６５を設けてこの透音カバー部材６５がパチンコ遊技機１の最前部に位置するように構成し、透音カバー部材６５の直ぐ後にスピーカーユニット１５を取り付けることができる。したがって、パチンコ遊技機１は、スピーカーユニット１５を遊技者に近づけて、遊技者の体（腹部）に向けた状態で配設することができる。このことから、遊技者は、スピーカー９６から出力される効果音を聴き易くなり、さらに、効果音による振動も遊技の演出として体感することができ、遊技の興趣を高めることができる。
【００４５】
そして、このパチンコ遊技機１は、第２状態において、上皿４７の下方にスピーカーユニット１５、すなわち第１空間６２および第２空間８７を配設し、スピーカーユニット１５の右側、すなわち発射操作ユニット７２寄りに下皿６９を配設している。このように上皿４７、下皿６９、およびスピーカーユニット１５を配設することで、上皿ユニット１３および下皿ユニット１４の限られたスペースを有効に利用することができ、従来よりも大きなスピーカーユニット１５であっても、上皿ユニット１３および下皿ユニット１４を大型化せずに無理なく配設することができる。また、前面枠本体４に固定した下皿ユニット１４に載置してスピーカーユニット１５を取り付けられるので、大出力の重いスピーカーを選択しても、取付作業を楽に行うことができる。
【００４６】
また、スピーカーユニット１５の外観を点検する場合は、上皿ユニット１３を開放して第１状態に変換すれば、スピーカーユニット１５の前方および上方が開放されて視認可能となる（図１２（ｂ））。したがって、下皿ユニット１４に係止された状態であっても、スピーカーユニット１５の点検作業を迅速に行うことができる。
【００４７】
さらに、係止受部１０５と係止部９３とを止着する止着部材を取り外すことで、スピーカーユニット１５と下皿ユニット１４との係止状態を解除し、コネクタから電気配線を取り外し、そのままスピーカーユニット１５を上方に移動すれば、パチンコ遊技機１からスピーカーユニット１５を簡単に取り外すことができる。したがって、スピーカーユニット１５の交換等のメンテナンス作業を短時間で済ますことができ、作業効率を向上させることができる。
【００４８】
上記した実施形態では、スピーカーユニット１５は下皿ユニット１４に係止できるように構成されていたが、本発明はこれに限らず、上皿ユニット１３に係止できるように構成し、スピーカーユニット１５を上皿ユニット１３の下方から第１区画壁部６０まで上方向に移動して第１空間６２に収納するようにしてもよい。このとき、下皿ユニット１４の前面切欠部８８は、上皿ユニット１３の開閉時にスピーカーユニット１５の下部が接触することなく通過できる程度の大きさにし、透音カバー部材６５の下半部は、前面切欠部８８を閉塞可能な形状とすることが好適である。
【００４９】
また、透音カバー部材６５は、上記実施形態のように、上皿ユニット１３に備えられることに限定されない。例えば、透音カバー部材６５は、下皿ユニット１４の前面突出部８４に設けられて、上半部が下皿カバー部材７０の上縁から上皿ユニット１３の前面に向かって延設された状態で備えられていてもよい。このとき、上皿カバー部材４８の前面突出部６１に透音カバー部材６５の上半部が閉塞可能な切欠部を開設すれば、上皿カバー部材４８の前面突出部６１から下皿カバー部材７０の前面突出部８４に亘って透音カバー部材６５を設けることができる。したがって、スピーカーユニット１５を上皿ユニット１３および下皿ユニット１４の前側に設けて、迫力ある効果音の演出を図ることができる。
【００５０】
そして、透音カバー部材６５は、上皿カバー部材４８の前面突出部６１から下皿カバー部材７０の前面突出部８４までの範囲内に設けられていればよく、例えば、上皿カバー部材４８の前面突出部６１から下縁までの大きさであってもよいし、下皿カバー部材７０の前面突出部８４から上縁までの大きさであってもよい。あるいは、透音カバー部材６５を上皿ユニット１３と下皿ユニット１４との境界箇所から上下に分割し、上半部を上皿カバー部材４８に、下半部を下皿カバー部材７０に取り付けるようにしてもよい。
【００５１】
さらに、上記実施形態では、下皿ユニット１４は、灰皿７１と下皿６９の間に第２空間８７を有していたが、下皿６９と発射操作ユニット７２との間に第２空間８７を区画形成し、発射操作ユニット７２の側方にスピーカーユニット１５を配設するようにしてもよい。このような構成を備えてスピーカーユニット１５から遊技中の効果音を出力すれば、発射操作ユニット７２にも効果音の出力による振動が伝達し易くなる。したがって、遊技者は、効果音に合わせて発射操作ユニット７２から手に直接伝わってくる振動を感じて、興趣の高い遊技を行うことができる。
【００５２】
上記した実施形態は、代表的な遊技機であるパチンコ遊技機１を例にして説明したが、本発明はこれに限らず、例えば、内部に封入した遊技球を循環させる封入球式パチンコ機、アレンジボール式遊技機、雀球式遊技機等の遊技機であってもよい。
【００５３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５４】
【発明の効果】
以上説明したように、本発明によれば、次の効果を奏する。
すなわち、請求項１の発明によれば、前記透明部材保持枠は、透明部材を臨ませる開口部を開設し、前記開口部の左右両側方であって前記開口部の上下方向の中間部と略同じ高さの位置に保持枠スピーカー取付部を形成し、該保持枠スピーカー取付部に保持枠スピーカーを遊技者の正面に向けた状態で取り付け、前記上皿ユニットは、上皿の前方を覆って遊技者側へ突出した上皿カバー部材を備え、前記下皿ユニットは、下皿の前方を覆って遊技者側へ突出した下皿カバー部材を備え、前記上皿カバー部材の前面突出部から前記下皿カバー部材の前面突出部までの範囲内に、音を伝達可能な透音カバー部材を遊技者の正面に向けて当該遊技機の最前部に位置する状態で設け、該透音カバー部材の後方にスピーカーユニットを取り付けたので、上皿カバー部材の前面突出部から下皿カバー部材の前面突出部までの範囲に入る程度の大きなスピーカーユニットを、遊技者に近づけた状態で収納することができる。また、遊技者は、遊技の進行に伴ってスピーカーユニットから発生する発生音を聴き易くなるとともに、発生音による振動を体感し易くなり、遊技の興趣を高めることができる。
【００５５】
請求項２に記載の発明によれば、前記上皿ユニットは、下側および後側が開口された第１空間を有し、前記下皿ユニットは、上側が開口されて第１空間と上下に連通し得る第２空間を有し、前記第１空間内にスピーカーユニットの上部を、第２空間内に前記スピーカーユニットの下部をそれぞれ収納可能とし、上皿ユニットを開放すると、第１空間が第２空間の上方から外れて、スピーカーユニットが上下方向に移動可能な第１状態に変換し、上皿ユニットを閉成すると、第１空間が第２空間の上方に連通されて、スピーカーユニットが上下方向の移動を規制される第２状態に変換するので、上皿ユニットと下皿ユニットとの間に亘る大きさのスピーカーユニットであっても、上皿ユニットの開閉という簡単な動作だけで、取り外し準備や収納作業を行うことができる。したがって、メンテナンス作業の時間を短縮して、作業効率の向上を図ることができる。
【００５６】
請求項３に記載の発明によれば、前記上皿ユニットは、音を伝達可能な透音カバー部材を前面に備えて、該透音カバー部材の上半部を第１空間の前方に配設し、下半部を第２空間の前方に配設可能とし、前記下皿ユニットは、スピーカーユニットを着脱可能な状態で係止する係止部を備え、前記第１状態において、透音カバー部材の下半部が第２空間の前方から外れて、下皿ユニットに係止されたスピーカーユニットの前方を開放し、前記第２状態において、透音カバー部材の下半部が第２空間の前方を覆ってスピーカーユニットの前方を覆うので、スピーカーユニットを下皿ユニットに係止したままで、当該スピーカーユニットの上部及び前部の外観を容易に確認することができ、いたずらされたか否か等の点検作業を迅速に行うことができる。また、上皿ユニットを閉めれば、スピーカーユニットの前面を透音カバー部材で保護できる状態に変換して、いたずら等によりスピーカーユニットが損傷するのを防ぐことができる。
【００５７】
請求項４に記載の発明によれば、前記上皿ユニットは、第１空間を上皿の下方に形成し、前記下皿ユニットは、下皿を前記上皿の斜め下方に配設し、第２空間を下皿の側方であって、前記上皿の下方に形成したので、上皿ユニットおよび下皿ユニットに上皿、下皿およびスピーカーユニットを効率よく配設することができる。したがって、上皿ユニットおよび下皿ユニットが大型化するのを防ぎ、さらには上方に位置する遊技盤の遊技領域の拡張を図り易くして、遊技機のデザインの自由度を高めることができる。
【００５８】
請求項５に記載の発明によれば、前記上皿ユニットは、第１空間の下側開口周縁に下向きの空間周縁下面部を形成し、前記下皿ユニットは、第２空間の上側開口周縁に上向きの空間周縁上面部を形成し、前記第２状態において、空間周縁下面部と空間周縁上面部とが近接した状態で対向するので、上皿ユニットを閉じた状態では、第１空間および第２空間の収納されたスピーカーユニットを外部から確認し難くして、外部からのいたずらによりスピーカーユニットが損傷してしまうのを防ぐことができる。また、上皿ユニットおよび下皿ユニットのデザインを崩すことなくスピーカーユニットを内側に収納することができる。
【００５９】
請求項６に記載の発明によれば、前記スピーカーユニットは、スピーカーと、前面に透音開口を、後面に収納口をそれぞれ開設して、内部にスピーカーを収納するスピーカー収納ボックスと、収納口を閉成する蓋部材とから構成され、前記蓋部材は、スピーカーの後部を支持するとともにスピーカー収納ボックスの内面に当接可能な支持部材を、スピーカー収納ボックスの内部に向けて突設したので、スピーカーユニットの組立作業において、スピーカー収納ボックス内のスピーカーの位置決めを容易に行うことができ、組立作業の効率を向上させることができる。
【図面の簡単な説明】
【図１】パチンコ遊技機の正面図である。
【図２】前面枠の分解斜視図である。
【図３】透明部材保持枠の分解斜視図である。
【図４】図２における透明部材保持枠のＡ−Ａ断面図である。
【図５】上皿ユニットの分解斜視図である。
【図６】（ａ）は上皿ユニットの背面斜視図、（ｂ）は第１空間周辺の拡大斜視図である。
【図７】（ａ）は下皿ユニットおよびスピーカーユニットの斜視図、（ｂ）は第２空間周辺の拡大斜視図である。
【図８】下皿ユニットの分解斜視図である。
【図９】上皿ユニット、下皿ユニットおよびスピーカーユニットの断面図である。
【図１０】スピーカーユニットの分解斜視図である。
【図１１】第２状態における上皿ユニットおよび下皿ユニットの拡大正面図である。
【図１２】上皿ユニット、下皿ユニットおよびスピーカーユニットの斜視図であり、（ａ）は第１状態での説明図、（ｂ）は第１状態であって下皿ユニットにスピーカーユニットを取り付けた状態の説明図、（ｃ）は第２状態での説明図である。
【符号の説明】
１  パチンコ遊技機
２  機枠
３  前面枠
３ａ  コネクタ
４  前面枠本体
５  遊技盤
６  表示装置
７  大入賞口
８  一般入賞口
９  アウト口
１０  遊技領域
１１  透明部材保持枠
１１ａ  ヒンジ部
１２  透明部材
１３  上皿ユニット
１４  下皿ユニット
１５  スピーカーユニット
１７  発射装置
１８  ファール流下口
２１  装飾枠
２２  保持枠フレーム
２３  透明部材収納フレーム
２４  透明部材ストッパー
２５  保持枠スピーカー
２７  開口部
２８  開口部
２９  球貸操作ユニット
３１  装飾表示基板
３２  装飾レンズ
３３  エラー表示基板
３４  エラー表示レンズ
３５  透明部材保持枠開閉スイッチ
３７  保持枠スピーカー取付部
４０  取付ガイド面
４２  カバー取付部材
４３  保持枠スピーカーカバー
４６  開閉パネル
４６ａ  パネル切欠部
４７  上皿
４７ａ  底面
４７′  上皿部材
４８  上皿カバー部材
５０  ヒンジ部
５１  球出口
５２  遊技球通路
５３  接続樋
５５  球供給口
５５ａ  切欠部
５５ｂ  球抜き口
５６  開閉扉
５８  不正防止壁
５９  球抜き装置
５９ａ  球抜きレバー
６０  第１区画壁部
６１  前面突出部
６２  第１空間
６４  空間周縁下面部
６４ａ  第１リブ
６４ｂ  第２リブ
６４ｃ  切欠部
６５  透音カバー部材
６５ａ  カバーフレーム
６５ｂ  透音板
６５ｃ  補強リブ
６８  取付ベース
６８ａ  上縁
６９  下皿
６９′  下皿部材
７０  下皿カバー部材
７１  灰皿
７２  発射操作ユニット
７４  下皿球出口
７５  球抜き流路
７７  突出部
７８  延出部
７９  不正防止壁
８０  連結ロッド
８１  取出口
８２  取出しレバー
８３  開閉プレート
８４  前面突出部
８６  第２区画壁部
８７  第２空間
８７ａ  スピーカーユニット載置部
８８  前面切欠部
８９  リブ
９１  空間周縁上面部
９２  ベース開口
９３  係止部
９４  ガイド溝
９６  スピーカー
９６ａ  コーン部
９６ｂ  フランジ部
９７  スピーカー収納ボックス
９８  蓋部材
１００  放音開口
１０１  止着孔
１０３  収納口
１０４  止着部
１０５  係止受部
１０７  止着片
１０９  支持部材
１１０  蓋開口部
【図１】
2004290357.tif 000003
【図２】
2004290357.tif 000004
【図３】
2004290357.tif 000005
【図４】
2004290357.tif 000006
【図５】
2004290357.tif 000007
【図６】
2004290357.tif 000008
【図７】
2004290357.tif 000009
【図８】
2004290357.tif 000010
【図９】
2004290357.tif 000011
【図１０】
2004290357.tif 000012
【図１１】
2004290357.tif 000013
【図１２】
2004290357.tif 000014